(57)【要約】      （修正有）【課題】誤動作や誤表示がなく、施開錠の状態が確実に表示され且つ耐久性に富む施開錠表治具ユニット及び施開錠表示具を提供する。【解決手段】鍵穴を備えた錠の鍵穴の近傍に２個の磁石２１及び２２が固定して配され、磁石２１及び２２のＮ極とＳ極を識別検知する磁気センサー２と、磁気センサー２の識別を行うための電源と、錠の施錠又は開錠の状態を表示する表示部３とを備えた表示具１が、鍵穴に差し込み回動させて施錠又は開錠するための鍵に装着される。【選択図】図１
2011220057.tif 000002
【特許請求の範囲】
【請求項１】
鍵穴を備えた錠の前記鍵穴の近傍に固定して配される磁石と、前記磁石のＮ極とＳ極を識別検知する磁気センサーと、前記磁気センサーの識別を行うための電源と、前記錠の施錠又は開錠の状態を表示する表示部とを備えることを特徴とする施開錠表示具ユニット。
【請求項２】
前記磁気センサーと前記表示部は、前記鍵穴に差し込み回動させて施錠又は開錠するための鍵に装着されることを特徴とする請求項１に記載の施開錠表示具ユニット。
【請求項３】
前記磁石は２個配され、前記磁気センサーは、施錠時には前記２個の磁石の一方の磁石のいずれか一方の磁極に最接近し、開錠時には他方の磁石の前記磁極とは極性の異なる磁極に最接近することを特徴とする請求項１又は２に記載の施解錠表示具ユニット。
【請求項４】
前記磁気センサーは、施錠後又は開錠後には電源をオフとするスイッチを備えることを特徴とする請求項１及至３のいずれか１項に記載の施開錠表示具ユニット。
【請求項５】
鍵穴の近傍に２個の磁石が配された錠の前記鍵穴に差し込み回動させて施錠又は開錠するための鍵に装着され施錠又は開錠の状態を表示する施開錠表示具において、施錠時には前記２個の磁石の一方の磁石のいずれか一方の磁極に最接近し、開錠時には他方の磁石の前記磁極とは極性の異なる磁極に最接近して前記２個の磁石の磁極を夫々識別検知する磁気センサーと、前記センサーの識別を行うための電源と、前記錠の施錠又は開錠の状態を表示する表示部とを備え、前記磁気センサーと前記表示部は前記鍵に装着されることを特徴とする施開錠表示具。
【請求項６】
前記施開錠表示具は、施錠後又は開錠後には前記電源をオフとするスイッチを備えることを特徴とする請求項５に記載の施開錠表示具。
【請求項７】
前記施開錠表示具は、施錠後又は開錠後に少なくとも時点情報を認識できる表示手段を備えることを特徴とする請求項５に記載の施開錠表示具。 
【発明の詳細な説明】
【技術分野】
【０００１】
本発明は、扉に設けられた錠の施錠又は開錠の状態を、該錠を開閉する鍵に装着されて表示する施開錠表示具ユニット及び施解錠表示具に関する。
【背景技術】
【０００２】
近代社会は安全とプライバシーを優先する社会であり、そのため建物、金庫、自動車などあらゆる分野に錠と鍵が用いられている。それらの錠から遠く離れた場所で、施錠したか否かについて忘れてしまうことは日常よくあることであるが、これまで誤動作や誤表示が発生しない施開錠表示具はなかった。
【０００３】
特許文献１の段落[００２６]には、「上記のように構成された摘みにおいて、鍵がシリンダ錠の鍵孔に挿入されていない常態においては、図３に示すように、トリガーばね１６の弾力によりトリガー１５が前方に移動しており、その傾斜端縁１５ｂが、楔作用により、表示マグネット１２を図３で前方及び上方に押動し、これを磁石保持室１１の前方の内壁及び天井面に押し付けている。」、続いて段落[００２７]には、「したがって、表示マグネット１２は磁石保持室１１の内壁面とトリガーの傾斜端縁１５ｂとで弾性的に挟持され、その表示角度位置を安定に保つ。」と記載されており、施開錠時に表示マグネットが回動し、回動した状態を安定的に保持するために、鍵を鍵孔から抜いた状態でトリガーの傾斜端縁により表示マグネットを弾圧保持する機構が開示されている。
【０００４】
また特許文献１の段落[００２１]には、「このトリガー室１４内には、図３に示すように、大体の形状がヒ字形で、前端（図３で左端）に薄い突出部１５ａ（図４参照）を一体に形成したトリガー１５が鍵Ｋのステム部７の長さ方向に沿う前後方向（図３で左右方向）に移動可能に収納、案内されている。」と記載されている。
【０００５】
特許文献２の段落[００１２]には、「施錠時は、鍵を回転し施錠検知位置において移動磁石は、施錠磁石との反発力で施錠側方向に移動し施側磁性体に吸着する。すなわち施錠を検知した時点で移動磁石は施錠磁石から最も遠ざかった位置にある。このため鍵を戻し、引き抜く時に施錠磁石の磁力の影響をまったく受けない事になり、施錠側磁性体に吸着してその位置を確実に保持する。
【０００６】
また解錠時には、前記と逆になり、解錠検知位置において移動磁石が開錠磁石との反発力で開錠側方向に移動し解錠側磁性体に吸着する。すなわち解錠を検知した時点で移動磁石は解錠磁石から最も遠ざかった位置にある。したがってこの場合も鍵を戻して引き抜く時に解錠磁石の磁力の影響をまったく受けない事になり、解錠側磁性体に吸着してその位置を確実に保持する。」と記載されており、施開錠時に移動する移動磁石を、錠側磁石との反発力で移動させた状態で磁性体に吸着して表示位置を安定的に保持する機構が開示されている。
【先行技術文献】
【特許文献】
【０００７】
【特許文献１】特許第３９６３９８９号公報
【特許文献２】特開２００６−１３２１４１号公報
【発明の概要】
【発明が解決しようとする課題】
【０００８】
上記特許文献１のような表示マグネットの反転動作は、微妙な磁力のバランスで起こるものであり、鍵の回動時の速度や表示マグネット自身の回転時の慣性によって、その反転角度を正確に制御することは難しく、加えて、鍵を戻して抜くときにも磁界の変化を受けるため、反転位置角度を誤動作なく保持することは難しかった。また、特許文献１に記載の突出部１５ａは、鍵本体から外部に突出しているため、不用意に何かにひっかかり易く、突出部自体がトリガー室内部に押し込まれ、表示マグネット１２の傾斜端縁１５ｂによる押圧が開放されて表示マグネットが動き、誤った状態を表示してしまうという問題があった。
【０００９】
特許文献２には「施開錠時に移動する移動磁石を、錠側磁石との反発力で、開錠磁石から最も遠ざかった位置に押しやって施錠側磁性体に吸着させてその位置を確実に保持する」と記載されているが、磁石の移動は、特許文献１の表示マグネットの反転動作と同じく、微妙な磁力のバランスで起こるものであり、鍵の回動時の速度や移動磁石自身の移動時の慣性力や予期せぬ外力によって、その移動位置を正確に決めることは難しく、移動磁石を誤動作なく保持することは難しかった。
【００１０】
また、鍵の長期使用によっては、上記の「トリガーの傾斜端縁により表示マグネットを弾圧保持する機構」や「磁石の反転動作」や「反発力による磁石の移動」などは、それら移動部材自身や移動部材の周辺部材の磨耗により不具合が発生し、誤動作や誤表示の原因になることもあり得ることである。
【００１１】
また、特許文献１、２のいずれにおいても表示用磁石の移動や反転に基づいて施開錠の状態が表示されるので、施錠後または開錠後に他の磁石が表示用磁石に近づいた場合、表示用磁石が移動や反転し、誤表示するという問題があった。
【００１２】
本発明は、上記の背景に鑑み、施開錠の状態が確実に表示され且つ耐久性に富む施開錠表治具ユニットおよび施開錠表治具を提供することにある。
【課題を解決するための手段】
【００１３】
本発明者等は、上記の課題を達成するため鋭意検討を行い、磁石の移動や反転に伴う位置表示の微妙なずれや周辺部材の磨耗が原因で発生する誤動作を防止する手段として、
磁石の移動や反転を伴わない構成の施開錠表治具ユニット及び施開錠表示具、更に施開錠後に他の磁石による誤動作を伴わない構成の施開錠表治具ユニットおよび施開錠表治具、を完成するに至った。即ち本発明は下記のとおりである。
（１）鍵穴を備えた錠の前記鍵穴の近傍に固定して配される磁石と、前記磁石のＮ極とＳ極を識別検知する磁気センサーと、前記センサーの識別を行うための電源と、前記錠の施錠又は開錠の状態を表示する表示部とを備えることを特徴とする施開錠表示具ユニット。（２）  前記磁気センサーと前記表示部は、前記鍵穴に差し込み回動させて施錠又は開錠するための鍵に装着されることを特徴とする（１）に記載の施開錠表示具ユニット。（３）前記磁石は２個配され、前記磁気センサーは、施錠時には前記２個の磁石の一方の磁石のいずれか一方の磁極に最接近し、開錠時には他方の磁石の前記磁極とは極性の異なる磁極に最接近することを特徴とする（１）又は（２）に記載の施解錠表示具ユニット。（４）前記磁気センサーは、施錠後又は開錠後には電源をオフとするスイッチを備えることを特徴とする（１）及至（３）のいずれか１項に記載の施開錠表示具ユニット。（５）鍵穴の近傍に２個の磁石が配された錠の前記鍵穴に差し込み回動させて施錠又は開錠するための鍵に装着され施錠又は開錠の状態を表示する施開錠表示具において、施錠時には前記２個の磁石の一方の磁石のいずれか一方の磁極に最接近し、開錠時には他方の磁石の前記磁極とは極性の異なる磁極に最接近して前記２個の磁石の磁極を夫々検知する磁気センサーと、前記センサーの識別を行うための電源と、前記錠の施錠又は開錠の状態を表示する表示部とを備え、前記磁気センサーと前記表示部は前記鍵に装着されることを特徴とする施開錠表示具。（６）前記施開錠表示具は、施錠後又は開錠後には前記電源をオフとするスイッチを備えることを特徴とする（５）に記載の施開錠表示具。（７）前記施開錠表示具は、施錠後又は開錠後に少なくとも時点情報が認識できる表示手段を備えることを特徴とする上記（５）又は（６）に記載の施開錠表示具。
【発明の効果】
【００１４】
本発明の施開錠表示具ユニットは、具体的には、鍵穴を備えた錠の前記鍵穴の近傍に固定して配される磁石と、前記磁石のＮ極とＳ極を識別検知する磁気センサーと、前記センサーの識別を行うための電源を磁気センサーに対して一体あるいは別々に設けることで、前記錠の施錠又は開錠の状態を表示する表示部とを備えることができるので、移動や反転を伴う磁石を必要としないから、鍵の回動時の速度や移動磁石自身の移動時の慣性力や予期せぬ外力による移動位置の微妙なずれや周辺部材の磨耗が原因で発生する施開錠表示の誤動作を防止でき、施開錠の正確な情報を確実に得ることが出来るという効果がある。
【００１５】
さらに具体的には、施開錠後に磁気センサーの電源を自動的あるいは連動させて切るかまたは、手動で切るスイッチを設けること（鍵を挿した際に自動的に電源が入り、鍵を抜くと自動的に電源が切れる構成がより好ましい）で、他の磁石が磁気センサーや表示部に近づいた場合であっても、誤動作や誤表示が発生しないという効果がある。
【００１６】
また本発明の施開錠表示具は、具体的には、上記電源の採用も出来、鍵穴の近傍に２個の磁石が配された錠の前記鍵穴に差し込み回動させて施錠又は開錠するための鍵に装着され施錠又は開錠の状態を表示する施開錠表示具において、施錠時には前記２個の磁石のうち一方の磁石のＮ極とＳ極のいずれか一方の磁極に最接近し、開錠時には他方の磁石の前記磁極とは極性の異なる磁極に最接近して、前記最接近した２つの磁極を夫々識別検知する磁気センサーと、前記錠の施錠又は開錠の状態を表示する表示部とを備え、前記磁気センサーと前記表示部は前記鍵に装着されることが出来るので、移動や反転を伴う磁石を必要としないから、鍵の回動時の速度や移動磁石自身の移動時の慣性力や予期せぬ外力による移動位置の微妙なずれや周辺部材の磨耗が原因で発生する施開錠表示の誤動作を防止でき、施開錠の正確な情報を確実に得ることが出来るという効果がある。さらに具体的には、上記同様に、施開錠後に磁気センサーの電源を自動的あるいは連動させて切るかまたは、手動で切るスイッチを設けること（鍵を挿した際に自動的に電源が入り、鍵を抜くと自動的に電源が切れる構成がより好ましい）で、他の磁石が磁気センサーや表示部に近づいた場合であっても、誤動作や誤表示が発生しないという効果がある。
【００１７】
前記施開錠表示具は、施錠後又は開錠後に少なくとも時点情報が認識できる表示手段を備えることが出来、「時点情報」としては、地点、時間、日付、場所、地域、住所等が挙げられ、施錠後又は開錠後即時、ＧＰＳのシステムを利用するなどして、いつ、どこでの表示情報であるかを視認できる。
【図面の簡単な説明】
【００１８】
【図１】本発明の施開錠表示具ユニット２０を示す、施開錠表示具１と磁石２１，２２の平面模式図である。
【図２】図１のＡ−Ａ矢視断面模式図である。
【図３】本発明の施開錠表示具ユニット２０及び施開錠表示具１に鍵３０を適用し、施開錠表示具１を錠４０に差し込んだ状態の側面模式図である。
【図４】図３のＢ−Ｂ矢視断面模式図である。
【図５】図５は鍵３０の側面模式図である。
【図６】錠４０の鍵穴側正面模式図である。
【図７】図３のＣ−Ｃ矢視図であって、本発明の施開錠表示具ユニット２０を錠４０及び鍵３０に適用し、鍵３０を鍵穴に挿入した状態の鍵穴側正面模式図である。
【図８】本発明の施開錠表示具ユニット２０を錠４０及び鍵３０に適用し、鍵３０を鍵穴に挿入後右側に９０度回動し、磁気センサー２が磁石２２に最接近した状態の鍵穴側正面模式図である。
【発明を実施するための最良の形態】
【００１９】
以下、本発明の施開錠表示具ユニット及び施開錠表示具について説明するが、本発明はこの事例に限られるものではない。本発明の実施例１として、施開錠表示具１について説明する。図１〜図８に示すように、施開錠表示具１は、鍵穴４１を備えた錠４０の前記鍵穴４１の近傍に固定して配されるＮ極とＳ極を備えた２個の磁石２１及び２２と、磁石２１及び２１の表面側の磁極であるＮ極とＳ極を識別検知する磁気センサー２と、施開錠の状態を表示する表示部３と、施開錠時にオンとし施開錠後にオフとするスイッチ５を備えている。２個の磁石の表面の磁極は異なっていればよいので、本実施例の場合は、磁石２１の表面の磁極はＳ極で磁石２２の表面の磁極はＮ極であり、その逆の配置の場合は、表示部３の表示を逆にすればよい。施開錠表示具ユニット２０には電池４が内蔵され電源が確保されている。磁気センサー２とスイッチ５と表示部３と電池４は回路基板６によって連絡され、回路基板６に合体されている。回路基板６にはＣＰＵ（不図示）が装備され、磁気センサーが検知した磁極がＣＰＵの記憶素子に記憶される。磁気センサー２と表示部３とスイッチ５と電池４と回路基板６はケース７に内蔵され、基板６の端部がケース７の内壁に形成された爪（不図示）と係合して固定される。ケース７に内蔵され基板６の裏面側に配された固定板１１は止めビス９によって蓋８と合体し、またケース７と蓋８は他の止めビス（不図示）あるいは爪状の係合構造などによって固定して合体される。ケース７と蓋８が合体した概観形状は概ね扁平な箱型である。
【００２０】
ケース７のスイッチ５に対応する部分に、手の指でスイッチのオン／オフ操作が可能となるように、スイッチ５のサイズとほぼ同じサイズの孔が設けられ、この孔を塞ぐようにして、ケース７の外面をスライド式に動かせるスイッチカバー１０が設けられている。施開錠時はこのスイッチカバー１０を開いてスイッチ５をオンとし、施開錠後はスイッチ５をオフとしてスイッチカバー１０を閉じる。本実施例ではスイッチカバー１０を設けたが、スイッチカバー１０は必ずしもなくてもよい。例えば、スイッチ５に対応する部分のケース７の孔のサイズを指の先端部が入る程度とし、ケース７の外表面より凹んだ位置にスイッチ５の表面を配することによって、不用意にスイッチがオンの状態となることを避けることができる。スイッチ５の位置は、鍵３０を装着した本発明の施開錠表示具１を手で持ったときに、指がスイッチ５に触れ易い位置である方が好ましい。更に、鍵３０を鍵穴に差し込んだとき自動的スイッチ５がオンとなり、鍵３０を抜き出すときに自動的にスイッチ５がオフになる構成がより好ましい。
【００２１】
表示部３には、ＬＥＤが備えられ、ケース７の表示部に対応する部分にはＬＥＤの発光が見えるように透明板が配されている。該ＬＥＤは施錠と開錠の状態によって異なる色、本実施例の場合は、施錠状態は青い光、開錠状態は赤い光、を発光させることができる。ＬＥＤの発光のさせ方は、識別できる程度に異なっていればよいので、例えば同じ色であっても、一方は点滅で他方は点灯でもよい。
【００２２】
磁気センサー２はホール素子を使用しており、該センサーに接近した磁極のＮ極とＳ極を識別できる。施開錠表示具１のケース前面１４の上部に磁気センサー２が配されている。鍵３０は、鍵先端部３１を施開錠表示具１のケース前面１４の外側に出して、鍵摘み部３２をケース７内に内蔵された固定板１１と蓋８の突起部１２によって挟持し、止めビス９で固定して、施開錠表示具１に装着される。
【００２３】
次に、本発明の実施例２として、施開錠表示具ユニット２０について説明する。施開錠表示具ユニット２０は、図１に示すように、実施例１で示した施開錠表示具１にＮ極とＳ極を備えた２個の磁石２１及び２２を組み合わせたユニットである。図６は錠４０の鍵穴４１が形成された面の正面模式図である。錠の固定部４３の内側に、鍵穴４１を含む錠４０の回動部４２が形成されている。
【００２４】
図５に示すように、鍵３０は、手で持って操作するための鍵摘み部３２と鍵穴４１に差し込む部分である鍵先端部３１とからなる。
【００２５】
図６に示すように、錠４０は、鍵３０を差し込む鍵穴４１と磁石２１，２２を固定する錠固定部４３と鍵穴４１に差し込んだ鍵３０を回動させて施開錠を行うための錠回動部４３からなる。
【００２６】
図７は、２個の磁石２１及び２２が鍵穴４１の近傍である錠固定部４３に鍵穴４１の中心部に対して水平であって且つ左右対称となるように接着剤、粘着剤あるいはその他の方法で固定して配されて、鍵３０が装着された施開錠表示具１の鍵３０を鍵穴４１に差し込んだ状態を示す。本実施例２の場合は、磁石２１の表面の磁極はＳ極で磁石２２の表面の磁極はＮ極である。２個の磁石の表面の磁極の極性は異なっていればよいので、その逆の配置、即ち磁石２１の表面の磁極はＮ極で磁石２２の表面の磁極はＳ極の場合は、表示部３の表示を逆にすればよい。磁石２１及び磁石２２は、直径が数ミリメートル、高さが数ミリメートルの円柱形状で、円柱の上面と底面に磁極が形成され、磁極の一方側を錠固定部４３に接着剤で固定して装着され、他方側の磁極は外方を向き、磁気センサーに検知される磁極となる。磁石２１，磁石２２の装着方法は接着以外の方法であってもよい。磁石２１及び磁石２２は薄くて且つ形状が小さいことによって、扉の施開錠の際のの支障にならないという利点がある。図３は、図７の左側面模式図に相当し、鍵３０の鍵穴４１への差し込みが完了した状態を示す。この時、施開錠表示具１の磁気センサー２は、磁石２１及び２２から離れた、磁石２１及び２２の磁力を検知できない錠固定部４３の頂部に位置している。スイッチカバー１１は閉じられてスイッチ５は操作できない状態にあるが、この後施錠又は開錠の前には開かれて、スイッチはオンに操作される。
【００２７】
図８は、図７の状態から、スイッチカバー１１を開いてスイッチ５をオンの状態（不図示）とし、鍵３０が装着された施開錠表示具１を右に９０度回動し、磁気センサー２が磁石２２を覆うようにして最接近し磁石２２の磁極がＮ極であるかＳ極であるかを検知する状態になったところを示す鍵穴側正面模式図である。本実施例２の場合は、磁石の表面がＮ極の場合施錠状態を表すものとする。図７の場合は、磁石２２の表面がＮ極なので、施錠状態となる。この後鍵３０を左に９０度回転し鍵３０が装着された施開錠表示具１を錠４０から取り外してスイッチ５をオフにしてスイッチカバー１１を閉じる。その後、錠４０から離れた位置において、スイッチカバー１１を開き、スイッチ５をオンにす
ると、ＣＰＵの記憶素子（不図示）に保存されている施錠時の磁石２２の磁極であるＮ極に対応させて、表示部３のＬＥＤが青色の光を点灯し、錠４０が施錠状態であることを確認できる。開錠の場合は、図７の状態から、施開錠表示具１を左に９０度回動し磁気センサー２を磁石２１に最接近させた後、錠４０から取り外し上記と同様の操作をすれば、表示部３のＬＥＤが赤色の光を点灯し、錠４０が開錠状態であることを確認できる。
【００２８】
本発明の実施例３として、「時点情報」を表示できる施開錠表示具１について説明する。本実施例３は、本実施例１の施開錠表示具１に加えて、実施例１で記載したＣＰＵに、衛星からの電波受信機能と地点、時間、日付、場所、地域、住所の表示機能を追加し、扉の施錠又は開錠後スイッチをオフにした後に、少なくとも上記時点情報が認識できる表示手段を備える施開錠表示具１である。地点、時間、日付、場所、地域、住所等はＧＰＳシステムを利用し、施開錠表示具１に表示手段としての液晶画面１５を含む構成とすることによって、扉を施開錠したのは、いつ、どこの場所であったかを容易に視認できる。これによって、本発明の施開錠表示具１の利便性は更に向上した。
【産業上の利用可能性】
【００２９】
本発明は、ビルや家の入り口の鍵、ビル内の各部屋のドアの鍵、室内の机の引き出しの鍵、機密書類の入った戸棚の鍵、銀行の金庫の鍵、貸金庫の鍵、旅行カバンの鍵、車のドアの鍵、駅のロッカーの鍵、自転車の盗難予防用の鎖の鍵等、鍵穴のある錠と鍵で構成された世の中のあらゆる錠と鍵に適用することができる。本発明は社会の発展に寄与するもので、産業上の利用可能性の高い技術である。
【符号の説明】
【００３０】
１  施開錠表示具２  磁気センサー３  表示部（ＬＥＤ）４  電池５  スイッチ６  回路基板７  ケース８  蓋９  止めビス１０  スイッチカバー１１  固定板１２  突起部１３  ケース表面１４  ケース前面１５  液晶画面２０  施開錠表示具ユニット２１  磁石２２  磁石３０  鍵３１  鍵先端部３２  鍵摘み部４０  錠４１  鍵穴４２  錠の回動部４３  錠の固定部
【図１】
2011220057.tif 000003
【図２】
2011220057.tif 000004
【図３】
2011220057.tif 000005
【図４】
2011220057.tif 000006
【図５】
2011220057.tif 000007
【図６】
2011220057.tif 000008
【図７】
2011220057.tif 000009
【図８】
2011220057.tif 000010